(57)【要約】      （修正有）【課題】新規な壁ＬＥＤランプ帯の取り付けカード・ファスナーを提供する。【解決手段】上部ファスナー１と下部ファスナー２を配合し、差し込み３を形成される。差し込み３の開口の位置に、ストッパー３０１がある。下部ファスナー２の上部にバックル・スロット２０１があり、バックル・スロット２０１の内に、第一のバックル・ブロック２１１を形成される。上部ファスナー１の底部に、バックル・スロット２０１内のバックル・クロー１０１を設置される。バックル・クロー１０１は、第一のバックル・ブロック２１１を掛け合った第二のバックル・ブロック１１１がある。下部ファスナー２の左側に、応力部分４を設置される。上部ファスナー１の前端に、二つのねじ穴５があり、ねじ穴５の内に、ネジを安置する。【選択図】図１
0003198193.tif 000002
【実用新案登録請求の範囲】
【請求項１】
壁LEDランプ帯の取り付けカード・ファスナーにおいて、上部ファスナーと下部ファスナーがあり、上部ファスナーと下部ファスナーを配合することにより、差し込みが形成され、差し込みの開口の位置に、ストッパーがあり、下部ファスナーの上部にバックル・スロットがあり、バックル・スロットの内に、第一のバックル・ブロックが形成され、上部ファスナーの底部に、バックル・スロット内のバックル・クローが設置され、第一のバックル・ブロックを掛け合った第二のバックル・ブロックがあり、下部ファスナーの左側に、応力部分が設置され、上部ファスナーの前端に、二つのねじ穴があり、ねじ穴の内に、ネジを安置し、下部ファスナーの前端と後端に、連続部があり、連続部にネジに合ったステップ穴があることを特徴とする壁LEDランプ帯の取り付けカード・ファスナー。
【請求項２】
請求項１に記載の壁LEDランプ帯の取り付けカード・ファスナーにおいて、下部ファスナーの左側に、Ｖ形の折り曲げスロットが設置され、折り曲げスロットは、バックル・スロットの下の1mm乃至2mmにあることを特徴とする壁LEDランプ帯の取り付けカード・ファスナー。
【請求項３】
請求項１に記載の壁LEDランプ帯の取り付けカード・ファスナーにおいて、応力部分が左に15°乃至30°切り換わる時、第一のバックル・ブロックと第二のバックル・ブロックが離れることを特徴とする壁LEDランプ帯の取り付けカード・ファスナー。
【請求項４】
請求項１に記載の壁LEDランプ帯の取り付けカード・ファスナーにおいて、上部ファスナーと下部ファスナーがＰＶＣプラスチックで作成されることを特徴とする壁LEDランプ帯の取り付けカード・ファスナー。
【請求項５】
請求項１に記載の壁LEDランプ帯の取り付けカード・ファスナーにおいて、ネジは六角ネジや十字ネジであることを特徴とする壁LEDランプ帯の取り付けカード・ファスナー。
【考案の詳細な説明】
【技術分野】
【０００１】
この実用的な新型は一種の壁LEDランプ帯の取り付けカード・ファスナーである。
【背景技術】
【０００２】
壁LEDランプ帯がインストールする時に、普通、カード・ファスナーを使われる。カード・ファスナーを通して、LEDランプ帯を固定し、LEDランプ帯の移動を避けるためである。
【０００３】
既存の技術の中で、LEDランプ帯を固定するためのカード・ファスナーは、固定電話線、電線などのカード・ファスナーと同一の種類である。これらのカード・ファスナーが使用する時に、LEDランプ帯を良い固定する。しかし後期で、LEDランプ帯を交換する時に、このカード・ファスナーは全体で取り外しなければならない。それから、壁に穴を生まれやすいである。同時に、このカード・ファスナーを利用する時に、一定の遮光を生まれ、LEDランプ帯の発光が平均しないので、実用的ではない。
【考案の概要】
【考案が解決しようとする課題】
【０００４】
この実用的な新型が技術問題を解決することは、一種の壁LEDランプ帯の取り付けカード・ファスナーを提供する。この装置は、LEDランプ帯の有効的な固定を実現することができる。後期で、LEDランプ帯を交換するの時に、全体のカード・ファスナーを解体しなければならない。交換することは、壁に損傷を影響しない。同時に、この装置はLEDランプ帯の発光を影響しない。
【課題を解決するための手段】
【０００５】
上の問題を解決するために、この実用的な新型は以下の技術方案を採用する：
一種の壁LEDランプ帯の取り付けカード・ファスナーは、上部ファスナーと下部ファスナーがある。上部ファスナーと下部ファスナーを配合し、差し込みを形成される。差し込みの開口の位置に、ストッパーがある。下部ファスナーの上部にバックル・スロットがあり、バックル・スロットの内に、第一のバックル・ブロックを形成される。上部ファスナーの底部に、バックル・スロット内のバックル・クローを設置される。バックル・クローは、第一のバックル・ブロックを掛け合った第二のバックル・ブロックがある。下部ファスナーの左側に、応力部分を設置される。上部ファスナーの前端に、二つのねじ穴があり、ねじ穴の内に、ネジを安置する。下部ファスナーの前端と後端に、連続部があり、連続部にネジを合ったステップ穴がある。
【０００６】
好ましい技術方案として、下部ファスナーの左側に、Ｖ形の折り曲げスロットを設置される。折り曲げスロットは、バックル・スロットの下の1mm-2mmにある。
【０００７】
好ましい技術方案として、応力部分が左に15°-30°を切り換える時で、第一のバックル・ブロックと第二のバックル・ブロックが離れる。
【０００８】
好ましい技術方案として、上部ファスナーと下部ファスナーがＰＶＣプラスチックで作成する。
【０００９】
好ましい技術方案として、ネジは六角ネジや十字ネジである。
【考案の効果】
【００１０】
この実用的な新型の有益な効果：この装置は、LEDランプ帯の有効的な固定を実現することができる。後期で、LEDランプ帯を交換するの時に、全体のカード・ファスナーを解体しなければならない。交換することは、壁に損傷を影響しない。同時に、この装置はLEDランプ帯の発光を影響しないし、構造も簡単である。メーカーが生産する時には、ネジがネジ穴の内に、固定することができる。ユーザーがインストールする時には、ネジ穴の内のネジを取り出しるだけで、ネジを購入する必要がない。その以外、この構造は、メーカーがカード・ファスナーを生産する時のコストを減らし、広めて使用することが適当する。
【図面の簡単な説明】
【００１１】
【図１】この実用的な新型の構造の断面図である。
【考案を実施するための形態】
【００１２】
下で、付図を組み合わせて、この実用的な新型の好ましい実施例に詳しく述べる。この実用的な新型の長所と特徴は、本分野の技術者にもっとやすく理解され、この実用的な新型の保護範囲にはっきり明確な定義をするためである。
【００１３】
図1の一種の壁LEDランプ帯の取り付けカード・ファスナーを参考して、上部ファスナー１と下部ファスナー２がある。上部ファスナー１と下部ファスナー２を配合し、差し込み３を形成される。差し込み３の開口の位置に、ストッパー３０１がある。下部ファスナー２の上部にバックル・スロット２０１があり、バックル・スロット２０１の内に、第一のバックル・ブロック２１１を形成される。上部ファスナー１の底部に、バックル・スロット２０１内のバックル・クロー１０１を設置される。バックル・クロー１０１は、第一のバックル・ブロック２１１を掛け合った第二のバックル・ブロック１１１がある。下部ファスナー２の左側に、応力部分４を設置される。上部ファスナー１の前端に、二つのねじ穴５があり、ねじ穴５の内に、ネジ６を安置する。下部ファスナー２の前端と後端に、連続部７があり、連続部７にネジ６を合ったステップ穴８がある。
【００１４】
好ましい技術方案として、下部ファスナー２の左側に、Ｖ形の折り曲げスロット２２２を設置される。折り曲げスロット２２２は、バックル・スロット２０１の下の1mmにある。
【００１５】
好ましい技術方案として、応力部分４が左に20°を切り換える時で、第一のバックル・ブロック２１１と第二のバックル・ブロック１１１が離れる。
【００１６】
好ましい技術方案として、上部ファスナー１と下部ファスナー２がＰＶＣプラスチックで作成する。
【００１７】
好ましい技術方案として、ネジ６は十字ネジである。
【００１８】
この実用的な新型の有益な効果：この装置は、LEDランプ帯の有効的な固定を実現することができる。後期で、LEDランプ帯を交換するの時に、全体のカード・ファスナーを解体しなければならない。交換することは、壁に損傷を影響しない。同時に、この装置はLEDランプ帯の発光を影響しないし、構造も簡単である。メーカーが生産する時には、ネジがネジ穴の内に、固定することができる。ユーザーがインストールする時には、ネジ穴の内のネジを取り出しるだけで、ネジを購入する必要がない。その以外、この構造は、メーカーがカード・ファスナーを生産する時のコストを減らし、広めて使用することが適当する。
【００１９】
以上のものは、この実用的な新型の基本的な原理、主要な特徴と利点を表示と記述した。当業界の技術者が理解するべきだことは、この実用的な新型が上記の実施例の制限を受けないである。上記の実施例と説明書の中で記述されたことは、この実用的な新型の原理を説明するだけである。この実用的な新型の精神と範囲を離れなく前提の下で、この実用的な新型は、また各種の変化と改善がある。これらの変化と改善ことは、この実用的な新型を保護するの範囲に入る。この実用的な新型は、保護範囲が添付の権利請求書と同じ物に定義されることを要求する。
【符号の説明】
【００２０】
１  上部ファスナー
２  下部ファスナー
３  差し込み
４  応力部分
５  ねじ穴
６  ネジ
７  連続部
８  ステップ穴
１０１  バックル・クロー
１１１  第二のバックル・ブロック
２０１  バックル・スロット
２１１  第一のバックル・ブロック
３０１  ストッパー
【図１】
0003198193.tif 000003